(57)【要約】【課題】有色色材による画像の下に白色色材による画像を記録して裏写りを抑制する際に、有色色材による画像の画像品質の低下を抑制する。【解決手段】画像データと被記録部材情報とを受信する受信手段２１と、受信した前記画像データについて色情報を抽出する抽出手段２５と、前記被記録部材情報の前記被記録部材の種類に応じた有色色材による前記被記録部材の記録面の明度と白色色材の記録量との関係を裏写り抑制情報として選択する選択手段２６と、選択した前記裏写り抑制情報を用いて、前記抽出手段により抽出した前記色情報から前記白色色材の記録量を決定する決定手段２７と、前記被記録部材の種類および決定された前記白色色材の記録量に基づいて、抽出された色情報について前記白色色材を記録した影響を低減するような補正を行う補正手段２８と、補正された前記色情報を前記有色色材の記録量に変換する変換手段２９と、を備える。【選択図】図４
2018024127.tif 000002
【特許請求の範囲】
【請求項１】
印刷する画像を表す画像データと画像を印刷する被記録部材を表す被記録部材情報とを受信する受信手段と、
前記受信手段により受信した前記画像データについて色情報を抽出する抽出手段と、
前記受信手段により受信した前記被記録部材情報の前記被記録部材の種類に応じた有色色材による前記被記録部材の記録面の明度と白色色材の記録量との関係を裏写り抑制情報として選択する選択手段と、
前記選択手段により選択した前記裏写り抑制情報を用いて、前記抽出手段により抽出した前記色情報から前記白色色材の記録量を決定する決定手段と、
前記被記録部材の種類および前記決定手段により決定された前記白色色材の記録量に基づいて、前記抽出手段により抽出された色情報について前記白色色材を記録した影響を低減するような補正を行う補正手段と、
前記補正手段により補正された前記色情報を前記有色色材の記録量に変換する変換手段と、
を備えることを特徴とする画像処理装置。
【請求項２】
前記受信手段は、各種の形式を有する前記画像データを受信し、
前記抽出手段は、各種の形式を有する前記画像データについて統一形式に変換した前記色情報を抽出する、
ことを特徴とする請求項１に記載の画像処理装置。
【請求項３】
前記決定手段により決定された前記白色色材の記録量と、前記変換手段により変換された前記有色色材の記録量とを表すビットマップ形式の画像データを生成する画像展開手段を更に備える、
ことを特徴とする請求項１または２に記載の画像処理装置。
【請求項４】
前記変換手段は、前記受信手段により受信した前記画像データまたは前記被記録部材情報の前記被記録部材の種類にかかるＩＣＣプロファイルに基づいて、前記補正手段により補正された前記色情報を前記有色色材の記録量に変換する、
ことを特徴とする請求項１ないし３の何れか一項に記載の画像処理装置。
【請求項５】
前記補正手段は、
前記被記録部材の種類に応じて、前記被記録部材に前記白色色材を記録した時の白色色材の記録量と前記色情報の明度情報との関係情報を記憶する紙種情報記憶手段と、
前記紙種情報記憶手段を前記被記録部材に応じて参照して、前記被記録部材そのものの明度情報と、決定された前記白色色材の記録量における明度情報との差分を導出する紙種情報導出手段と、
前記紙種情報導出手段によって導出された前記差分および前記被記録部材そのものの明度情報に基づいて、前記抽出手段により抽出された色情報の明度情報を補正する情報補正手段と、
を備えることを特徴とする請求項１ないし４の何れか一項に記載の画像処理装置。
【請求項６】
前記補正手段は、
前記被記録部材の種類に応じて、前記被記録部材に前記白色色材を記録した時の白色色材の記録量と前記色情報との関係情報を記憶する紙種情報記憶手段と、
前記紙種情報記憶手段を前記被記録部材に応じて参照して、前記被記録部材そのものの色情報と、決定された前記白色色材の記録量における色情報との差分を導出する紙種情報導出手段と、
前記紙種情報導出手段によって導出された前記差分および前記被記録部材そのものの色情報の明度および色度に基づいて、前記抽出手段により抽出された色情報の明度および色度を補正する情報補正手段と、
を備えることを特徴とする請求項１ないし４の何れか一項に記載の画像処理装置。
【請求項７】
画像データを画像処理して有色色材画像データおよび白色色材画像データを生成する請求項１ないし６の何れか一項に記載の画像処理装置と、
前記画像処理装置で画像処理された前記有色色材画像データおよび前記白色色材画像データに応じた画像を被記録部材に記録するエンジン部と、
を備えることを特徴とする画像形成装置。
【請求項８】
コンピュータを、
印刷する画像を表す画像データと画像を印刷する被記録部材を表す被記録部材情報とを受信する受信手段と、
前記受信手段により受信した前記画像データについて色情報を抽出する抽出手段と、
前記受信手段により受信した前記被記録部材情報の前記被記録部材の種類に応じた有色色材による前記被記録部材の記録面の明度と白色色材の記録量との関係を裏写り抑制情報として選択する選択手段と、
前記選択手段により選択した前記裏写り抑制情報を用いて、前記抽出手段により抽出した前記色情報から前記白色色材の記録量を決定する決定手段と、
前記被記録部材の種類および前記決定手段により決定された前記白色色材の記録量に基づいて、前記抽出手段により抽出された色情報について前記白色色材を記録した影響を低減するような補正を行う補正手段と、
前記補正手段により補正された前記色情報を前記有色色材の記録量に変換する変換手段と、
として機能させるためのプログラム。
【発明の詳細な説明】
【技術分野】
【０００１】
本発明は、画像処理装置、画像形成装置およびプログラムに関する。
【背景技術】
【０００２】
従来、紙等の被記録部材の上に、ＣＭＹＫなどの有色色材（トナーやインク等）で画像を記録すると共に、更にその表面に、第５の色材（トナーやインク等）で画像を記録することができるプリンタおよび該プリンタに適応したプリンタコントローラ等を含む画像処理装置が知られている。第５の色材の具体例としては、白色色材がある。
【０００３】
ところで、被記録部材（特に薄い用紙）に有色色材で画像を記録すると、被記録部材の裏面に記録した画像が透けて被記録部材の表面から見える裏写りが発生して、画像品質を損なうことがある。
【０００４】
そこで、有色色材で画像を記録する前に白色色材で画像を記録して裏写りを抑制し、被記録部材の反対面に記録される画像の画像品質を向上させるようにした画像形成装置が知られている。
【発明の概要】
【発明が解決しようとする課題】
【０００５】
しかしながら、従来の裏写りを抑制する画像形成装置によれば、被記録部材に白色色材による画像を記録した影響で、有色色材による画像を記録するベースの明度が被記録部材の明度とは異なることになる。このようにベースの明度が異なると、有色色材による画像の色が変化してしまい、有色色材による画像の画像品質が低下するという問題があった。
【０００６】
本発明は、上記に鑑みてなされたものであって、有色色材による画像の下に白色色材による画像を記録して裏写りを抑制する際に、有色色材による画像の画像品質の低下を抑制することを目的とする。
【課題を解決するための手段】
【０００７】
上述した課題を解決し、目的を達成するために、本発明は、印刷する画像を表す画像データと画像を印刷する被記録部材を表す被記録部材情報とを受信する受信手段と、前記受信手段により受信した前記画像データについて色情報を抽出する抽出手段と、前記受信手段により受信した前記被記録部材情報の前記被記録部材の種類に応じた有色色材による前記被記録部材の記録面の明度と白色色材の記録量との関係を裏写り抑制情報として選択する選択手段と、前記選択手段により選択した前記裏写り抑制情報を用いて、前記抽出手段により抽出した前記色情報から前記白色色材の記録量を決定する決定手段と、前記被記録部材の種類および前記決定手段により決定された前記白色色材の記録量に基づいて、前記抽出手段により抽出された色情報について前記白色色材を記録した影響を低減するような補正を行う補正手段と、前記補正手段により補正された前記色情報を前記有色色材の記録量に変換する変換手段と、を備えることを特徴とする。
【発明の効果】
【０００８】
本発明によれば、有色色材による画像に応じて裏写りを抑制するために記録する白色色材の量を決定すると共に、決定した白色色材の量に応じて記録すべき有色色材による画像を補正するので、有色色材による画像の下に白色色材による画像を記録して裏写りを抑制する際に、有色色材による画像の画像品質の低下を抑制することができるという効果を奏する。
【図面の簡単な説明】
【０００９】
【図１】図１は、第１の実施の形態にかかる画像処理システムの構成の一例を示す図である。
【図２】図２は、コントローラ部のハードウェア構成の一例を示す図である。
【図３】図３は、エンジン部のハードウェア構成の一例を示す図である。
【図４】図４は、コントローラ部の機能構成の一例を示す図である。
【図５】図５は、色情報抽出部の機能構成を示す機能ブロック図である。
【図６】図６は、裏写りの一例を示す図である。
【図７】図７は、黒トナーの記録量および白トナーの記録量の組合せに応じた裏写りの明度を例示的に示す図である。
【図８】図８は、黒トナーの記録量と黒トナーによるトナー記録面の明度との関係の一例を示す図である。
【図９】図９は、黒トナーによるトナー記録面の明度と裏写り低減に効果のある白トナーの記録量との関係の一例を示す図である。
【図１０】図１０は、裏写り抑制情報選択部の機能構成を示す機能ブロック図である。
【図１１】図１１は、設定画面の一例を示す正面図である。
【図１２】図１２は、トレイ設定画面の一例を示す正面図である。
【図１３】図１３は、白色色材記録量決定部の機能構成を示す機能ブロック図である。
【図１４】図１４は、被記録部材上で記録可能な明度範囲と色情報抽出部が抽出する明度情報との関係を示すグラフである。
【図１５】図１５は、白色色材を被記録部材上に記録した場合における明度と白色色材量との関係の一例を示すグラフである。
【図１６】図１６は、色情報の明度情報の補正前後の関係の一例を示すグラフである。
【図１７】図１７は、色情報補正部の機能構成を示す機能ブロック図である。
【図１８】図１８は、有色色材記録量変換部の機能構成を示す機能ブロック図である。
【図１９】図１９は、コントローラ部における画像処理の流れを概略的に示すフローチャートである。
【図２０】図２０は、第２の実施の形態にかかる色情報補正部の機能構成を示す機能ブロック図である。
【発明を実施するための形態】
【００１０】
以下に添付図面を参照して、画像処理装置、画像形成装置およびプログラムの実施の形態を詳細に説明する。
【００１１】
（第１の実施の形態）
図１は、第１の実施の形態にかかる画像処理システム１００の構成の一例を示す図である。本実施形態の画像処理システム１００は、画像形成装置１およびホスト装置１０を備える。画像形成装置１およびホスト装置１０は、有線又は無線によって互いに通信可能な状態に接続されている。ホスト装置１０は、画像データや給紙トレイ選択情報等の印刷条件を画像形成装置１に送信する。
【００１２】
画像形成装置１は、画像処理装置であるコントローラ部２およびエンジン部３を備える。コントローラ部２は、ホスト装置１０から画像データや印刷条件を受信する。コントローラ部２は、ホスト装置１０から受信した画像データを画像処理して色材画像データを生成し、当該色材画像データをエンジン部３に送信する。色材画像データは、印刷する画像の各画素の色材の記録量を表すデータである。色材画像データには、有色色材画像データおよび白色色材画像データがある。有色色材画像データおよび白色色材画像データの詳細については後述する。
【００１３】
エンジン部３は、コントローラ部２から色材画像データを受信して、選択された給紙トレイ１３１ａ，１３１ｂ（図３参照）の被記録部材に色材画像データに応じた画像を記録する。なお、本実施の形態のエンジン部３は、電子写真方式で画像を記録する方式を適用するが、これに限るものではなく、インクを吐出して画像を記録する方式等であっても良い。
【００１４】
図２は、画像形成装置１のコントローラ部２のハードウェア構成の一例を示す図である。コントローラ部２は、ＣＰＵ（Central  Processing  Unit）１０１、ＲＯＭ（Read  Only  Memory）１０２、ＲＡＭ（Random  Access  Memory）１０３、ＨＤＤ（Hard  Disk  Drive）１０４、ネットワークＩ／Ｆ（Interface）１０５、操作表示パネル１０６およびバス１０７を備える。ＣＰＵ１０１、ＲＯＭ１０２、ＲＡＭ１０３、ＨＤＤ１０４、ネットワークＩ／Ｆ（Interface）１０５および操作表示パネル１０６は、バス１０７を介して互いに接続されている。
【００１５】
ＣＰＵ１０１は、プログラムを実行する。ＲＯＭ１０２には、システム起動プログラム等が記憶されている。システム起動プログラムは、画像形成装置１のシステムを制御するシステムプログラムを起動するプログラムである。ＲＡＭ１０３は、ＣＰＵ１０１がプログラムを実行するときに使用するメモリである。ＨＤＤ１０４は、画像形成装置１の補助記憶装置である。ＨＤＤ１０４は、画像形成装置１が画像を処理するための画像処理プログラム等のアプリケーションプログラム、画像形成装置１のシステムプログラム、および各種のデータ等を記憶する。なお、ＨＤＤ１０４は、光学ドライブやフラッシュメモリ等でもよい。光学ドライブが読み出し又は書き込みする被記録部材は、ＣＤ−ＲＯＭ（Compact  Disk  Read  Only  Memory）、ＣＤ−Ｒ（Compact  Disk  Recordable）およびＤＶＤ（Digital  Versatile  Disk）等である。ネットワークＩ／Ｆ１０５は、ホスト装置１０等の外部機器と各種の情報を送受信する。操作表示パネル１０６は、ユーザからの操作入力を受け付ける。
【００１６】
なお、ＲＯＭ１０２に記憶されているプログラムは、インストール可能な形式又は実行可能な形式のファイルでＣＤ−ＲＯＭ、ＣＤ−Ｒ、ＤＶＤ等のコンピュータで読み取り可能な被記録部材に記録して提供するように構成してもよい。
【００１７】
なお、コントローラ部２は、ＩＣなどのハードウェアで構築されていてもよい。
【００１８】
図３は、画像形成装置１のエンジン部３のハードウェア構成の一例を示す図である。本実施形態のエンジン部３は、プリンタ部１２、給紙部１３、スキャナ部１４および排紙部１５を備える。
【００１９】
プリンタ部１２は、カートリッジ１２１、感光体ドラム１２２、帯電部１２３、現像部１２４、中間転写ベルト１２５、二次転写ローラ１２６および定着部１２７を備える。定着部１２７は、加圧ローラ１２７１および定着ベルト１２７２を備える。
【００２０】
カートリッジ１２１は、５つのカートリッジ１２１Ｃ、１２１Ｍ、１２１Ｙ、１２１Ｋ、および１２１Ｗを備える。４つのカートリッジ１２１Ｃ、１２１Ｍ、１２１Ｙおよび１２１Ｋは、有色色材を収容する。有色色材は、例えば有色トナーである。カートリッジ１２１Ｃは、シアン（Ｃ）色の色材を収容する。カートリッジ１２１Ｍは、マゼンタ（Ｍ）色の色材を収容する。カートリッジ１２１Ｙは、イエロー（Ｙ）色の色材を収容する。カートリッジ１２１Ｋは、黒（Ｋ）色の色材を収容する。カートリッジ１２１Ｗは、白色（Ｗ）色材を収容する。本実施形態の白色色材は、ＳｉＯ２等の白色の着色剤を含む樹脂から生成される色材である。白色色材は、例えば白色トナーである。なお、以下では、カートリッジ１２１Ｃ、１２１Ｍ、１２１Ｙ、１２１Ｋ、および１２１Ｗのうち任意のカートリッジを「カートリッジ１２１」という。
【００２１】
感光体ドラム１２２は、Ｃ色、Ｍ色、Ｙ色、Ｋ色、およびＷ色の各色材の種類に対応した５つの感光体ドラム１２２Ｃ、１２２Ｍ、１２２Ｙ、１２２Ｋ、および１２２Ｗを備える。なお、以下では、感光体ドラム１２２Ｃ、１２２Ｍ、１２２Ｙ、１２２Ｋ、および１２２Ｗ、のうち任意の感光体ドラムを「感光体ドラム１２２」という。感光体ドラム１２２は後述の帯電部１２３により一様に帯電させられたのち、コントローラ部２から受信した色材画像データに応じた静電潜像が感光体ドラム１２２の表面に形成される。感光体ドラム１２２の表面に形成された静電潜像に、後述の現像部１２４が色材を付着させることにより画像が形成される。
【００２２】
本実施形態のように、最上流に白色色材であるＷ色に対応した感光体ドラム１２２Ｗを備えることにより、有色色材（Ｃ色、Ｍ色、Ｙ色、Ｋ色）で画像を記録する前に白色色材（Ｗ色）で画像を記録して裏写りを抑制し、被記録部材の反対面に記録される画像の画像品質を向上させることが可能となっている。
【００２３】
帯電部１２３は、Ｃ色、Ｍ色、Ｙ色、Ｋ色、およびＷ色の各色材の種類に対応した５つの帯電部１２３Ｃ、１２３Ｍ、１２３Ｙ、１２３Ｋ、および１２３Ｗを備える。なお、以下では、帯電部１２３Ｃ、１２３Ｍ、１２３Ｙ、１２３Ｋ、および１２３Ｗのうち任意の帯電部を「帯電部１２３」という。帯電部１２３は、電圧を印加させられて、感光体ドラム１２２の表面を帯電させる。
【００２４】
現像部１２４は、Ｃ色、Ｍ色、Ｙ色、Ｋ色、およびＷ色の各色材の種類に対応した５つの現像部１２４Ｃ、１２４Ｍ、１２４Ｙ、１２４Ｋ、および１２４Ｗを備える。なお、以下では、現像部１２４Ｃ、１２４Ｍ、１２４Ｙ、１２４Ｋ、および１２４Ｗのうち任意の現像部を「現像部１２４」という。現像部１２４は、カートリッジ１２１の色材を帯電部１２３によって帯電された感光体ドラム１２２に付着させることにより、各感光体ドラム１２２の表面に画像を形成する。
【００２５】
中間転写ベルト１２５は、感光体ドラム１２２に当接しながら搬送される。これにより、感光体ドラム１２２に形成された画像が中間転写ベルト１２５に転写される。
【００２６】
二次転写ローラ１２６は、後述する給紙部１３から搬送された被記録部材を、中間転写ベルト１２５との間に挟み込むことにより、中間転写ベルト１２５に形成された画像を被記録部材に転写し、画像が形成された被記録部材を定着部１２７に送る。
【００２７】
定着部１２７は、加圧ローラ１２７１および定着ベルト１２７２を備える。定着部１２７は、二次転写ローラ１２６から送られた被記録部材に画像を定着させる。加圧ローラ１２７１は、定着ベルト１２７２に被記録部材を押し当て、熱を付与することにより、被記録部材に色材を付着させることによって画像を定着させる。定着ベルト１２７２は、加圧ローラ１２７１との間に被記録部材を押し当てることにより、被記録部材に画像を定着させる。
【００２８】
続いて、給紙部１３のハードウェア構成を説明する。給紙部１３は、給紙トレイ１３１ａ，１３１ｂ、給紙ローラ１３２ａ，１３２ｂ、給紙ベルト１３３ａ，１３３ｂおよびレジストローラ１３４を備える。給紙部１３は、用紙等の被記録部材をプリンタ部１２に供給する。
【００２９】
給紙トレイ１３１ａ，１３１ｂは、用紙等の被記録部材を収容するものである。給紙ローラ１３２ａ，１３２ｂは、給紙トレイ１３１ａ，１３１ｂにそれぞれ収容されている用紙を取り出し、給紙ベルト１３３ａ，１３３ｂに載置するものである。給紙ベルト１３３ａ，１３３ｂは、用紙を搬送しレジストローラ１３４に差し入れるものである。レジストローラ１３４は、用紙を中間転写ベルト１２５と二次転写ローラ１２６との間に送り入れるものである。なお、以下では、給紙トレイ１３１ａ，１３１ｂをそれぞれ第１給紙トレイ、第２給紙トレイと呼ぶ場合がある。
【００３０】
ここでは、詳細な図示は省略するが、給紙部１３は、切換え部と、排紙部１５と、反転部と、再給紙トレイと、を有する。切換え部は、定着部１２７で画像が定着された被記録部材を、送り先を切り替えることで、排紙部１５または反転部に送るものである。排紙部１５は、被記録部材を排出して、格納するものである。反転部は、被記録部材をスイッチバックして先後端を入れ替えるものである。再給紙トレイは、先後端を入れ替えられた被記録部材を一時的に収容するものである。さらに、給紙部１３は、再給紙トレイに収容されている被記録部材を取り出し、給紙ローラ１３２ａ，１３２ｂと同様に給紙ベルト１３３ａ，１３３ｂに載置するための給紙ローラを有する。
【００３１】
スキャナ部１４は、コンタクトガラス１４１および読取センサ１４２を備える。スキャナ部１４は、用紙等に記載された画像情報を読み取る。コンタクトガラス１４１には、画像が記載された用紙が載置される。読取センサ１４２は、コンタクトガラス１４１に載置された用紙に記載された画像から画像情報を読み取る。
【００３２】
次に、コントローラ部２の機能構成について説明する。図４は、コントローラ部２の機能構成の一例を示す図である。本実施形態のコントローラ部２は、送受信部２１、色処理部２２、画像展開部２３、エンジンＩ／Ｆ部２４等を有している。
【００３３】
なお、コントローラ部２を構成する各機能部の一部は、ＣＰＵ１０１がＨＤＤ１０４に記憶されている画像処理プログラム等のアプリケーションプログラムやシステムプログラムに従って動作することで実現される機能である。
【００３４】
まず、受信手段として機能する送受信部２１について説明する。
【００３５】
送受信部２１は、図２に示されるネットワークＩ／Ｆ１０５により実現される。送受信部２１は、ＰＣ（Personal  Computer）等の情報処理装置と通信を行って、文書の画像データや印刷条件等を受け取る。ここで、画像データとは、用紙等の被記録部材に有色色材で形成すべき画像を表す情報である。具体的には、画像データとは、ＲＧＢ，ＣＭＹＫやＬａｂ等の表色形式やモノクロの表色形式で表現された、ビットマップ形式やベクトル形式のデータである。また、印刷条件とは、画像を印刷する際の被記録部材の指定情報である。具体的には、印刷条件とは、上述の給紙トレイ１３１ａ，１３１ｂの選択情報や、画像を被記録部材の両面に印刷するか片面に印刷するか等の印刷方法を指示する情報である。
【００３６】
次に、色処理部２２について説明する。色処理部２２は、色情報抽出部２５、裏写り抑制情報選択部２６、白色色材記録量決定部２７、色情報補正部２８、有色色材記録量変換部２９を有している。
【００３７】
まず、抽出手段として機能する色情報抽出部２５について説明する。
【００３８】
送受信部２１が受け取る画像データは、上述したようにＲＧＢ，ＣＭＹＫやＬａｂ等の様々な形式を有している。これらの形式には、入力ＩＣＣプロファイルが、あらかじめ結びつけられたり、画像データに埋め込まれていたりする。ＩＣＣプロファイルとは、カラーマネジメントにおいて、インターナショナル・カラー・コンソーシアム（ＩＣＣ）の公表した標準に従い、色に関わる入出力機器や色空間を特徴付ける一連のデータである。
【００３９】
そこで、色情報抽出部２５は、以降の処理を形式に応じて切換えると煩雑になるため、ＩＣＣプロファイル等に基づいて変換を行い、統一形式の色情報を抽出する。なお、以下では、色情報抽出部２５はＬａｂ形式の色情報を抽出するものとして、色情報抽出部２５の詳細について説明する。
【００４０】
ここで、図５は色情報抽出部２５の機能構成を示す機能ブロック図である。図５に示すように、送受信部２１が受け取った画像データは、ＲＧＢ、ＣＭＹＫ、Ｇｒａｙ、更にはＬａｂ形式である。色情報抽出部２５は、必要に応じて、送受信部２１が受け取った画像データについてＬａｂ形式への変換を行う。
【００４１】
色情報抽出部２５は、ＲＧＢ−Ｌａｂ変換部２５ａと、ＣＭＹＫ−Ｌａｂ変換部２５ｂと、Ｇｒａｙ−Ｌａｂ変換部２５ｃと、ＲＧＢ  Profile記憶部２５ｄと、ＣＭＹＫ  Profile記憶部２５ｅと、Ｇｒａｙ  Profile記憶部２５ｆと、を備えている。
【００４２】
ＲＧＢ  Profile記憶部２５ｄは、ＲＧＢ形式の画像データに結び付けられているＩＣＣプロファイルを記憶する。ＣＭＹＫ  Profile記憶部２５ｅは、ＣＭＹＫ形式の画像データに結び付けられているＩＣＣプロファイルを記憶する。Ｇｒａｙ  Profile記憶部２５ｆは、Ｇｒａｙ形式の画像データに結び付けられているＩＣＣプロファイルを記憶する。
【００４３】
例えば、ＲＧＢ形式の画像データは、ＲＧＢ−Ｌａｂ変換部２５ａにより、Ｌａｂデータに変換される。この際、ＲＧＢ−Ｌａｂ変換部２５ａは、ＲＧＢ形式の画像データに結び付けられているＩＣＣプロファイルをＲＧＢ  Profile記憶部２５ｄから読み出して参照する。ここで、ＲＧＢ−Ｌａｂ変換部２５ａが行う変換は、公知のＩＣＣプロファイルに基づく変換であり、詳細な説明は省略する。
【００４４】
ＣＭＹＫ形式の画像データは、ＣＭＹＫ−Ｌａｂ変換部２５ｂにより、Ｌａｂデータに変換される。この際、ＣＭＹＫ−Ｌａｂ変換部２５ｂは、ＣＭＹＫ形式の画像データに結び付けられているＩＣＣプロファイルをＣＭＹＫ  Profile記憶部２５ｅから読み出して参照する。ここで、ＣＭＹＫ−Ｌａｂ変換部２５ｂが行う変換は、公知のＩＣＣプロファイルに基づく変換であり、詳細な説明は省略する。
【００４５】
Ｇｒａｙ形式の画像データは、Ｇｒａｙ−Ｌａｂ変換部２５ｃにより、Ｌａｂデータに変換される。この際、Ｇｒａｙ−Ｌａｂ変換部２５ｃは、Ｇｒａｙ形式の画像データに結び付けられているＩＣＣプロファイルをＧｒａｙ  Profile記憶部２５ｆから読み出して参照する。ここで、Ｇｒａｙ−Ｌａｂ変換部２５ｃが行う変換は、公知のＩＣＣプロファイルに基づく変換であり、詳細な説明は省略する。
【００４６】
Ｌａｂ形式の画像データは、色情報抽出部２５においてＬａｂ形式の画像データに変換せずに、そのままとする。
【００４７】
以上により、色情報抽出部２５は、送受信部２１が受け取った画像データの形式をＬａｂ形式に統一した色情報を抽出する。
【００４８】
なお、送受信部２１が受け取った画像データにＩＣＣプロファイルが埋め込まれている場合であっても、ＲＧＢ  Profile記憶部２５ｄ等に埋め込まれているＩＣＣプロファイルを記憶してから参照するものとする。
【００４９】
次に、選択手段として機能する裏写り抑制情報選択部２６について説明する。
【００５０】
ここで、裏写りについて説明する。図６は裏写りの一例を示す図である。詳細には、図６（ａ）は被記録部材をトナー記録面から観察した様子を示し、図６（ｂ）は被記録部材をトナー記録面の裏側から観察した様子を示す。
【００５１】
図６（ａ）は黒トナーおよび白トナーにより画像が記録されている被記録部材をトナー記録面から観察した結果を示すものである。図６（ａ）に示すように、一般に、黒トナーである有色色材による画像は被記録部材より暗く、白トナーである白色色材による画像は被記録部材より明るくなる。
【００５２】
一方、図６（ｂ）は図６（ａ）の被記録部材をトナー記録面の裏側から観察した結果を示すものである。トナー記録面の裏側から観察した場合、図６（ｂ）に示すように、被記録部材を通して観察される黒トナーである有色色材による画像が、被記録部材そのものと比べて暗く見える。これが、裏写りと呼ばれる現象である。
【００５３】
ところで、被記録部材を通して観察される白トナーである白色色材による画像は、被記録部材そのものと比べて明るく見える。そこで、詳細は後述するが、本実施形態においては、黒トナー（有色色材）の画像（有色画像）と被記録部材との間に印刷する白トナー（白色色材）の量を決定すると共に、決定した白トナー（白色色材）の量に応じて印刷すべき黒トナー（有色色材）の画像（有色画像）を補正することにより、裏写りを低減し、白トナー（白色色材）の画像上に印刷した黒トナー（有色色材）の画像（有色画像）の画像品質の低下を抑制するようにしたものである。この点について、以下に説明する。
【００５４】
ここで、図７は黒トナーの記録量および白トナーの記録量の組合せに応じた裏写りの明度を例示的に示す図である。図７（ａ）は黒トナーの記録量（Ｋ）に対する裏写りの明度を示す図、図７（ｂ）は被記録紙部材と明度が同じとなる黒トナーの記録量（Ｋ）と白トナーの記録量（Ｗ）の関係を示す図である。
【００５５】
図７によれば、黒トナーの記録量（Ｋ＝０，５１，１０２，１５３，２０４，２５５）に対して、被記録紙部材そのものと明度が同じとなる白トナーの記録量（Ｗ）が存在することがわかる。このように裏写りの明度が被記録部材そのものの明度と等しくなる場合、識別が難しくなるので、裏写りが低減された状態となる。
【００５６】
一方、図８は黒トナーの記録量と黒トナーによるトナー記録面の明度との関係の一例を示す図、図９は黒トナーによるトナー記録面の明度と裏写り低減に効果のある白トナーの記録量との関係の一例を示す図である。図９に示す関係は、図７および図８の関係に基づいて求められる。
【００５７】
なお、上記においては、黒トナーによるトナー記録面の明度と裏写り低減に効果のある白トナーの記録量（Ｗ）との関係で説明したが、色トナーを含む記録面の明度と白トナーの記録量（Ｗ）との関係であっても同様である。すなわち、黒トナーによるトナー記録面の明度と裏写り低減に効果のある白トナーの記録量（Ｗ）との関係は、色トナーを含むトナー記録面の明度と白トナーの記録量（Ｗ）との関係とみなすことができる。
【００５８】
また、図９に示すような黒トナー（色トナー）によるトナー記録面の明度と白トナーの記録量（Ｗ）との関係は、被記録部材の種類によって変化する。このため、被記録部材の種類ごとに、黒トナー（色トナー）によるトナー記録面の明度と裏写り低減に効果のある白トナーの記録量（Ｗ）との関係が、予め求められる。
【００５９】
すなわち、裏写り抑制情報選択部２６は、被記録部材の種類（紙厚を含む）に応じて、黒トナー（色トナー）によるトナー記録面の明度と裏写り低減に効果のある白トナーの記録量（Ｗ）との関係を選択して提供する。
【００６０】
ここで、図１０は裏写り抑制情報選択部２６の機能構成を示す機能ブロック図である。図１０に示すように、裏写り抑制情報選択部２６は、黒トナー（色トナー）によるトナー記録面の明度と裏写り低減に効果のある白トナーの記録量（Ｗ）の関係を示すＬＵＴ（ルック・アップ・テーブル）を被記録部材の種類ごとに記憶する白トナーの記録量記憶部２６ａを有する。
【００６１】
また、図１０に示すように、裏写り抑制情報選択部２６は、被記録部材判定部２６ｂと、給紙トレイ設定情報記憶部２６ｃとを有している。給紙トレイ設定情報記憶部２６ｃは、給紙トレイ１３１ａ，１３１ｂ毎に、被記録部材の種類を記憶する。
【００６２】
給紙トレイ１３１ａ，１３１ｂに対応する被記録部材の種類は、画像形成装置１のコントローラ部２の操作表示パネル１０６に表示される設定画面において設定される。ここで、図１１は設定画面Ｇ１の一例を示す正面図である。図１１に示すように、画像形成装置１のコントローラ部２は、第１給紙トレイおよび第２給紙トレイについて、用紙サイズ、用紙タイプおよび坪量の選択肢を表した設定画面Ｇ１を表示する。ユーザは、それぞれの給紙トレイに載置した被記録部材に応じ、用紙サイズ、用紙タイプおよび坪量の各選択肢に対応付けられたラジオボタンを選択する。これにより、画像形成装置１のコントローラ部２は、選択された結果を給紙トレイ設定情報記憶部２６ｃに記憶する。なお、本実施形態においては、被記録部材の種類を判定する際には、用紙タイプと坪量が使用される。
【００６３】
このようにして被記録部材判定部２６ｂは、給紙トレイ１３１ａ，１３１ｂの給紙トレイ選択情報に基づいて給紙トレイ設定情報記憶部２６ｃを参照し、給紙トレイ１３１ａ，１３１ｂに予め対応付けられている被記録部材の種類を判定する。
【００６４】
ここで、上述したホスト装置１０における給紙トレイ選択情報は、ユーザが印刷指示する際に設定するトレイ選択に基づいて生成される。図１２は、トレイ設定画面Ｇ２の一例を示す正面図である。図１２に示すように、ホスト装置１０は、選択可能な給紙トレイのドロップダウンリストＸ（図１２では第１給紙トレイ、第２給紙トレイ）を有するトレイ設定画面Ｇ２を表示する。ユーザは、トレイ設定画面Ｇ２のドロップダウンリストＸにおいて所望の給紙トレイを選択する。これにより、ホスト装置１０は、給紙トレイ選択情報を生成し、画像形成装置１に送信する。
【００６５】
これにより、裏写り抑制情報選択部２６は、被記録部材判定部２６ｂが判定した被記録部材の種類に応じた黒トナー（色トナー）によるトナー記録面の明度と裏写り低減に効果のある白トナーの記録量（Ｗ）の関係を裏写り抑制情報として選択し、提供する。
【００６６】
次に、決定手段として機能する白色色材記録量決定部２７について説明する。
【００６７】
白色色材記録量決定部２７は、裏写り抑制情報選択部２６から提供された、裏写り抑制情報として選択された黒トナー（色トナー）によるトナー記録面の明度と裏写り低減に効果のある白トナーの記録量（Ｗ）との関係を用いて、色情報抽出部２５が抽出した色情報（ここでは、明度情報（Ｌ））から、白色色材の記録量を決定する。
【００６８】
ここで、図１３は白色色材記録量決定部２７の機能構成を示す機能ブロック図である。図１３に示すように、白色色材記録量決定部２７は、記録明度変換部２７ａと、ＬＵＴ変換部２７ｂとを有している。
【００６９】
記録明度変換部２７ａは、色情報抽出部２５が抽出した明度情報（Ｌ）が被記録部材上でどのような明度（Ｌ’）で記録されるかを予測する。ＬＵＴ変換部２７ｂは、記録明度変換部２７ａで予測した明度（Ｌ’）に基づいて、裏写り低減に効果のある白トナーの記録量（Ｗ）を決定する。ここで、色情報抽出部２５が抽出した明度情報（Ｌ）は、記録明度変換部２７ａに入力される。また、裏写り抑制情報選択部２６が選択したトナー記録面の明度と裏写り低減に効果のある白トナーの記録量（Ｗ）の関係は、記録明度変換部２７ａおよびＬＵＴ変換部２７ｂに入力されている。
【００７０】
記録明度変換部２７ａは、被記録部材上でどのような明度で画像を記録可能か把握するため、トナー記録面の明度と、裏写り低減に効果のある白トナーの記録量（Ｗ）の関係を使用している。すなわち、記録明度変換部２７ａは、該関係が有するトナー記録面の明度の最大値Ｌｍａｘと最小値Ｌｍｉｎを抽出して、これを被記録部材上で記録可能な明度範囲とする。一方、色情報抽出部２５が抽出する明度情報（Ｌ）は、０〜１００が範囲である。
【００７１】
ここで、図１４は被記録部材上で記録可能な明度範囲と色情報抽出部２５が抽出する明度情報との関係を示すグラフである。すなわち、図１４に示すように、記録明度変換部２７ａは、下記のような変換式で被記録部材上でどのような明度（Ｌ’）で記録されるかを予測することができる。
Ｌ’＝（Ｌｍａｘ−Ｌｍｉｎ）×Ｌ／１００＋Ｌｍｉｎ          （１）
【００７２】
ＬＵＴ変換部２７ｂは、裏写り抑制情報選択部２６が選択したトナー記録面の明度と裏写り低減に効果のある白トナーの記録量（Ｗ）の関係に基づいて、記録明度変換部２７ａが予測した明度（Ｌ’）から裏写り低減に効果のある白トナーの記録量（Ｗ）を決定する。
【００７３】
次に、補正手段として機能する色情報補正部２８について説明する。
【００７４】
一般に、白色色材（白トナー）には、被記録部材そのものよりも明るい材料が選ばれる。このため、白色色材を記録した上に有色色材を記録することは、より明るい被記録部材に画像を記録することに等しく、同じ量の有色色材を記録しても再現される色が異なることになる。
【００７５】
そこで、本実施形態の色情報補正部２８は、上述した被記録部材判定部２６ｂにより判定される被記録部材の種類と白色色材記録量決定部２７が決定した白色色材の記録量とに基づいて、色情報抽出部２５が抽出した色情報の明度情報の補正を行って、白色色材を記録した影響を低減する。
【００７６】
ここで、図１５は白色色材を被記録部材上に記録した場合における明度と白色色材量との関係の一例を示すグラフ、図１６は色情報の明度情報の補正前後の関係の一例を示すグラフである。図１５に示すように、被記録部材に対する白色色材の記録量が増加するにつれて、白色色材の色材記録面の明度（Ｌｘ）が増加する。なお、ここでは、ある白色色材量における明度の増加量をΔＬとしている。
【００７７】
また、図１６に示すように、ある白色色材量においては、白色色材の色材記録面の明度が白色色材の記録による影響でΔ分増加する。そこで、本実施形態の色情報補正部２８は、被記録部材と等しい明度に対してΔ分減少させるように補正を施す。また、色情報補正部２８は、被記録部材以外の明度に対しては、その大きさに比例して減少させるようにする。
【００７８】
そこで、色情報補正部２８は、被記録部材の種類に応じて、被記録部材に白色色材量を記録した時の白色色材の記録量と明度との関係情報と、決定された白色色材の記録量とに基づいて増加量Δを求め、図１６のような補正の関係を決定する。そして、色情報補正部２８は、この関係に基づいて、色情報の明度成分の補正を行う。
【００７９】
ここで、図１７は色情報補正部２８の機能構成を示す機能ブロック図である。図１７に示すように、色情報補正部２８は、紙種情報導出手段として機能する紙種情報導出部２８ａと、紙種情報記憶手段として機能する紙種情報記憶部２８ｂと、情報補正手段として機能する明度補正部２８ｃとを有している。
【００８０】
紙種情報記憶部２８ｂは、被記録部材の種類に応じて、被記録部材に白色色材量を記録した時の白色色材の記録量と、色情報Ｌａｂ（明度）との関係情報を記憶する。
【００８１】
紙種情報導出部２８ａは、入力された被記録部材（紙種）に対応する白色色材の記録量と明度との関係情報を、紙種情報記憶部２８ｂを参照して取り出す。そして、紙種情報導出部２８ａは、被記録部材そのものの明度情報（Ｌｏ）と、入力された白色色材の記録量における明度情報（Ｌｘ）と被記録部材そのものの明度情報（Ｌｏ）との差分ΔＬと、を導出する。
【００８２】
また、明度補正部２８ｃは、入力された色情報Ｌａｂの明度情報（Ｌ）を、明度情報（Ｌｏ）および差分（ΔＬ）に基づいて補正して出力する。明度補正部２８ｃにおける補正は、例えば、以下のように行われる。
Ｌ’’＝（Ｌｏ−ΔＬ）／Ｌｏ・Ｌ                    （２）
【００８３】
このように本実施の形態の色情報補正部２８によれば、入力された白色色材の記録量に基づいて、色情報を補正することができる。
【００８４】
次に、変換手段として機能する有色色材記録量変換部２９について説明する。
【００８５】
有色色材記録量変換部２９は、特定される被記録部材の種類に結び付けられたり、あるいは画像データ自体に埋め込まれたりしている出力ＩＣＣプロファイルに基づいて、色情報補正部２８により補正された色情報を有色色材の記録量に変換する。
【００８６】
ここで、図１８は有色色材記録量変換部２９の機能構成を示す機能ブロック図である。図１８に示すように、有色色材記録量変換部２９は、Output  Profile記憶部２９ａと、Ｌａｂ−ＣＭＹＫ変換部２９ｂとを有している。
【００８７】
Output  Profile記憶部２９ａは、用紙タイプ毎にＩＣＣプロファイルを記憶する。
【００８８】
Ｌａｂ−ＣＭＹＫ変換部２９ｂは、Output  Profile記憶部２９ａから判定された被記録部材の種類に応じて選択されたＩＣＣプロファイルに基づき、色情報補正部２８で補正された色情報（Ｌ’’ａｂ）を、有色色材の記録量ＣＭＹＫに変換する。なお、Ｌａｂ−ＣＭＹＫ変換部２９ｂが行う変換は、公知のＩＣＣプロファイルに基づく変換であり、詳細な説明は省略する。
【００８９】
なお、本実施の形態においては、画像データにＩＣＣプロファイルが埋め込まれている場合も、画像データに埋め込まれているＩＣＣプロファイルがOutput  Profile記憶部２９ａに記憶されてから、Ｌａｂ−ＣＭＹＫ変換部２９ｂに参照されるものとする。
【００９０】
図４に戻り、画像展開手段として機能する画像展開部２３について説明する。
【００９１】
画像展開部２３は、色処理部２２において決定された白色色材の記録量や、変換された有色色材の記録量に基づいて、ビットマップ形式の画像データを解像度変換したり、ベクトル形式の画像データを展開したりして、エンジン部３の解像度のビットマップ形式の有色色材画像データおよび白色色材画像データに変換する。
【００９２】
エンジンＩ／Ｆ部２４は、エンジン部３と通信を行って、画像展開部２３で変換されたビットマップ形式の画像データを、エンジン部３に送出する。ここで、画像データはビットマップ形式の有色色材および白色色材の記録量を表す有色色材画像データおよび白色色材画像データである。
【００９３】
次に、本実施形態の画像形成装置１のコントローラ部２における画像処理の流れについて説明する。
【００９４】
ここで、図１９はコントローラ部２における画像処理の流れを概略的に示すフローチャートである。図１９に示すように、まず、送受信部２１は、ＰＣ等の情報処理装置と通信を行って、文書の画像データや印刷条件等を受け取る（ステップＳ１）。
【００９５】
次いで、色情報抽出部２５は、ステップＳ１で送受信部２１が受け取った様々な形式の画像データの形式を統一の表色形式（例えば、Ｌａｂ形式）に統一した色情報を抽出する（ステップＳ２）。すなわち、受け取った画像データの表色形式にはあらかじめ入力ＩＣＣプロファイルが結びつけられていたり、画像データ自体にＩＣＣプロファイルに埋め込まれていたりするが、以降の処理を形式に応じて切換えると煩雑になるため、ＩＣＣプロファイルに基づいて変換を行い、統一の表色形式（例えば、Ｌａｂ形式）に統一する。
【００９６】
次いで、裏写り抑制情報選択部２６は、被記録部材の種類（紙厚を含む）に応じた画像の明度（有色色材の量）と白色色材量との最適値関係を裏写り抑制情報として選択する（ステップＳ３）。
【００９７】
次いで、白色色材記録量決定部２７は、ステップＳ２で裏写り抑制情報として選択された画像の明度（有色色材の量）と白色色材量の最適値の関係を用いて、ステップＳ２で抽出した色情報（ここでは明度情報（Ｌ））から、白色色材の記録量を決定する（ステップＳ４）。
【００９８】
次いで、色情報補正部２８は、特定される被記録部材の種類とステップＳ４で決定した白色色材の記録量とに基づいて、ステップＳ２で抽出した色情報を補正する（ステップＳ５）。
【００９９】
次いで、有色色材記録量変換部２９は、特定される被記録部材の種類に結び付けられたり、あるいは画像データ自体に埋め込まれたりしている出力ＩＣＣプロファイルに基づいて、ステップＳ５で補正された色情報を有色色材の記録量に変換する（ステップＳ６）。
【０１００】
次いで、画像展開部２３は、ステップＳ４で決定された白色色材の記録量と、ステップＳ６で変換された有色色材の記録量とに基づいて、ビットマップ形式の画像データを解像度変換したり、ベクトル形式の画像データを展開したりして、エンジン部３の解像度のビットマップ形式の有色色材画像データおよび白色色材画像データに変換する（ステップＳ７）。
【０１０１】
次いで、エンジンＩ／Ｆ部２４は、エンジン部３と通信を行って、ステップＳ７で変換されたビットマップ形式の有色色材画像データおよび白色色材画像データを、エンジン部３に送出する（ステップＳ８）。
【０１０２】
なお、本実施形態においては、被記録部材に形成する文書の処理をステップ毎に行う場合を説明したが、文書はページ毎に複数の構成要素から成っており、構成要素毎にステップＳ２〜ステップＳ８の処理を施したり、ページ毎にステップＳ２〜ステップＳ８の処理を施したりするようにしても良い。
【０１０３】
このように本実施形態によれば、有色色材の画像と被記録部材との間に印刷する白色色材の記録量を決定すると共に、決定した白色色材の記録量に応じて印刷すべき有色色材の画像を補正することにより、白色色材の記録による明度の変化を減らして、白色色材の画像上に印刷した有色色材の画像の画像品質の低下を抑制することができる。
【０１０４】
なお、本実施形態のコントローラ部２で実行される画像処理プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【０１０５】
また、本実施形態のコントローラ部２で実行される画像処理プログラムを、インターネット等のネットワークに接続されたコンピュータ上に格納し、ネットワーク経由でダウンロードさせることにより提供するように構成しても良い。また、本実施形態のコントローラ部２で実行される画像処理プログラムをインターネット等のネットワーク経由で提供または配布するように構成しても良い。
【０１０６】
また、本実施形態のコントローラ部２で実行される画像処理プログラムを、ＲＯＭ等に予め組み込んで提供するように構成してもよい。
【０１０７】
本実施の形態のコントローラ部２で実行される画像処理プログラムは、上述した各部（色処理部２２、画像展開部２３）を含むモジュール構成となっており、実際のハードウェアとしてはＣＰＵ（プロセッサ）が上記記憶媒体から画像処理プログラムを読み出して実行することにより上記各部が主記憶装置上にロードされ、色処理部２２、画像展開部２３が主記憶装置上に生成されるようになっている。
【０１０８】
（第２の実施の形態）
次に、第２の実施の形態について説明する。なお、前述した第１の実施の形態と同じ部分は同じ符号で示し説明も省略する。
【０１０９】
第１の実施の形態では、色情報補正部２８の紙種情報導出部２８ａは、被記録部材そのものの明度情報（Ｌｏ）と、入力された白色色材記録量における明度（Ｌｘ）と被記録部材そのものの明度情報（Ｌｏ）との差分ΔＬと、を導出するものであった。本実施の形態においては、明度情報のみならず補色次元ａ，ｂについても差分を導出するようにしたものである。
【０１１０】
このようにしたのは、次の理由による。色味を有するカラーペーパーを被記録部材として使用する場合、白色色材を記録した上に有色色材を記録することは、より無彩色に近い被記録部材に画像を記録することに等しくなる。このため、カラーペーパーを被記録部材として使用する場合、同じ量の有色色材を記録しても再現される色が異なってしまうという問題が発生する。
【０１１１】
ここで、図２０は第２の実施の形態にかかる色情報補正部２８の機能構成を示す機能ブロック図である。図２０に示すように、色情報補正部２８は、紙種情報導出部２８ａと、紙種情報記憶部２８ｂと、明度補正部２８ｃとに加え、情報補正手段として機能する第１の色度補正部２８ｄおよび第２の色度補正部２８ｅを有している。
【０１１２】
紙種情報記憶部２８ｂは、被記録部材の種類に応じて、被記録部材に白色色材量を記録した時の白色色材の記録量と、色情報Ｌａｂとの関係情報を記憶する。
【０１１３】
紙種情報導出部２８ａは、入力された被記録部材（紙種）に対応する白色色材の記録量と色情報（明度を含む）との関係情報を、紙種情報記憶部２８ｂを参照して取り出す。そして、紙種情報導出部２８ａは、被記録部材そのものの色情報（Ｌｏ，ａｏ，ｂｏ）と、入力された白色色材記録量における色情報（Ｌｘ，ａｘ，ｂｘ）と被記録部材そのものの色情報（Ｌｏ，ａｏ，ｂｏ）との差分（ΔＬ，Δａ，Δｂ）と、を導出する。
【０１１４】
明度補正部２８ｃは、入力された色情報Ｌａｂの明度情報（Ｌ）を、明度情報（Ｌｏ）および差分（ΔＬ）に基づいて補正して出力する。明度補正部２８ｃにおける補正は、例えば、以下のように行われる。
Ｌ’’＝（Ｌｏ−ΔＬ）／Ｌｏ・Ｌ                    （２）
【０１１５】
第１の色度補正部２８ｄは、入力された色情報Ｌａｂの色度情報（ａ）を、色度情報（ａｏ）および差分（Δａ）に基づいて補正して出力する。第１の色度補正部２８ｄにおける補正は、例えば、以下のように行われる。
ａ’’＝（ａｏ−Δａ）／ａｏ・ａ                    （３）
【０１１６】
同様に、第２の色度補正部２８ｅは、入力された色情報Ｌａｂの色度情報（ｂ）を、色度情報（ｂｏ）および差分（Δｂ）に基づいて補正して出力する。第２の色度補正部２８ｅにおける補正は、例えば、以下のように行われる。
ｂ’’＝（ｂｏ−Δｂ）／ｂｏ・ｂ                    （４）
【０１１７】
このように本実施の形態の色情報補正部２８によれば、入力された白色色材の記録量に基づいて色情報を補正するので、白色色材の記録による色の変化を減らして、画像品質の劣化を抑制することができる。
【０１１８】
また、本実施の形態の色情報補正部２８によれば、被記録部材の色味の変化に応じて色情報を補正するので、白色色材の記録による色の変化を減らして、有色画像の画像品質の低下を抑制することができる。
【０１１９】
なお、上記実施の形態では、本発明の画像形成装置を、コピー機能、プリンタ機能、スキャナ機能およびファクシミリ機能のうち少なくとも２つの機能を有する複合機に適用した例を挙げて説明するが、複写機、プリンタ、スキャナ装置、ファクシミリ装置等の画像形成装置であればいずれにも適用することができる。
【符号の説明】
【０１２０】
１      画像形成装置
２      画像処理装置
３      エンジン部
２１    受信手段
２３    画像展開手段
２５    抽出手段
２６    選択手段
２７    決定手段
２８    補正手段
２８ｂ    紙種情報記憶手段
２８ａ    紙種情報導出手段
２８ｃ，２８ｄ，２８ｅ    情報補正手段
２９    変換手段
【先行技術文献】
【特許文献】
【０１２１】
【特許文献１】特許第５８２４８９７号公報
【図１】
2018024127.tif 000003
【図２】
2018024127.tif 000004
【図３】
2018024127.tif 000005
【図４】
2018024127.tif 000006
【図５】
2018024127.tif 000007
【図６】
2018024127.tif 000008
【図７】
2018024127.tif 000009
【図８】
2018024127.tif 000010
【図９】
2018024127.tif 000011
【図１０】
2018024127.tif 000012
【図１１】
2018024127.tif 000013
【図１２】
2018024127.tif 000014
【図１３】
2018024127.tif 000015
【図１４】
2018024127.tif 000016
【図１５】
2018024127.tif 000017
【図１６】
2018024127.tif 000018
【図１７】
2018024127.tif 000019
【図１８】
2018024127.tif 000020
【図１９】
2018024127.tif 000021
【図２０】
2018024127.tif 000022